(57)【特許請求の範囲】
【請求項１】
複数のラックマウント型装置を搭載する前後左右の４隅に支柱が備わるラックであって、
前記ラックにおいて、背面側の少なくともいずれか一方の支柱の後部に、高さ方向の実装単位である１Ｕ毎に、前記ラックマウント型装置の電子タグを読み取るリーダライタを取り付けたリーダライタ取付部と、
前記ラックマウント型装置において、ラック搭載時に前記リーダライタと対応する位置に前記電子タグを取り付けた電子タグ取付部と、
を有することを特徴とするラック。
【請求項２】
前記ラックマウント型装置は、ラック搭載時の奥行きが背面側支柱と前面側支柱の間に位置する場合に、延長して前記リーダライタに対応した位置となるよう前記電子タグを取り付けた電子タグ取付機構が付加されることを特徴とする請求項１に記載のラック。
【請求項３】
前記ラックマウント型装置が前記ラックの前面側の支柱のみに固定されている場合、前記ラックの背面側の少なくともいずれか一方の支柱において、前記リーダライタと対向する近接位置に前記電子タグを有する電子タグ取付機構を前記ラックマウント型装置と別に設置したことを特徴とする請求項１に記載のラック。
【請求項４】
前記電子タグ取付機構と対応する前記ラックマウント型装置とが接続機構により、物理的に一体となっていることを特徴とする請求項３に記載のラック。
【請求項５】
前記ラックマウント型装置と前記電子タグ取付機構とがフレキシブルプリント板を含む配線ケーブルによって接続されていることを特徴とする請求項２乃至４のいずれかに記載のラック。
【発明の詳細な説明】
【技術分野】
【０００１】
本発明は、ラックマウント型装置に搭載された電子タグ（非接触ＩＣ（Integrated Circuit) タグ、または無線タグ）を効率的に読み取るラックシステムにおけるリーダライタの取付技術に関する。
【背景技術】
【０００２】
近年、サーバ、ディスクアレイ装置などの電子機器をラックに搭載し、省スペース化を図るラックマウントシステムが普及している。
【０００３】
ラックマウント型装置が搭載されるラックは、搭載ピッチが決められており、一般的な１９インチラックの場合、最小搭載ピッチは、１Ｕ＝４４．４５ｍｍとなっている。ラックマウント型装置１台は、１Ｕの整数倍の範囲に取り付けられる。
【０００４】
ラックに搭載される装置は、外見が同じものが複数搭載される場合もあり、保守対象装置がどのラックに搭載されているかだけではなく、どのスロットに搭載されているかを知ることで、対象装置を間違えるなどのミスを低減することができる。
【０００５】
ラックマウント型装置が多数設置されるデータセンタなどにおいて、棚卸しや製品の保守を行う場合に、現品にて対象となる装置が確実にそこにあることを確認していた。また、工場でラックに装置を搭載して出荷する場合、指定のラック搭載パターンと、実際のラック搭載パターンが同じであるか確認する方法は、人が見て確認する方法が一般的であり、大変煩雑な作業となっていた。
【０００６】
これらの問題に対し、一般に知られる電子タグを利用することで、ラックに搭載した装置を管理する方法が考えられる。
【０００７】
電子タグを読み取る技術をラックマウントシステムに適用する場合、一般に、ラックに搭載するラックマウント型のサーバ、ディスクアレイ装置などの装置側に電子タグを取り付け、ラック側にリーダライタを取り付けることが考えられる。また、ラックのどのスロット（収納位置）にどんな装置が搭載されたかを確認するために、各スロットにリーダライタを設置することが考えられる。
【０００８】
しかしながら、その際に、電子タグとリーダライタの距離が遠いと、（１）電子タグとリーダライタの距離が遠くなることで強力なリーダライタが必要になり、コストアップとなる、（２）リーダライタの受信範囲が拡がると、他のスロットに搭載された装置の電子タグの電波を拾い、読み取りの信頼性が低くなる、などの問題が発生する。
【０００９】
また、ラックマウント型装置に共通的に電子タグを取り付ける位置として、装置の前面側（ラックの前面側）や背面側（ラックの背面側）を用いた場合、リーダライタの取り付け位置としてラックの扉を利用することが考えられる。しかし、通常、ラック前面側や背面側のエリアはケーブル処理に利用されるため、ケーブル処理後、扉を閉じた時に、扉に設置したリーダライタとケーブルとが干渉するという問題が発生する。
【００１０】
従来、棚状に設置された棚部材に電子タグを取り付け、棚が収容される収容部にリーダライタを取り付ける方法が提案されている（特許文献１参照）。収容部に取り付けられるリーダライタの位置としては、同じ形状をした棚部材が収容された時に占める範囲内にリーダライタが設置される。
【００１１】
しかしながら、奥行きの異なる様々な機器が搭載されるラックマウントシステムに上記技術を適用した場合、リーダライタの取り付け位置として考えられるポイントとして、以下の２つがあげられる。１つは、ラックの前面側支柱に取り付けられる装置の前面に対向する位置であり、他の１つは、ラックの側面のラック前側の支柱に近い部分であるが、ラック前面側に取り付ける場合は、ケーブル処理との絡みで、装置の搭載や保守性に問題を抱える。
【００１２】
また、ラック側面側に取り付ける場合は、ラック前側の支柱に近い部分であれば、奥行きの短い装置であっても対応可能であるが、ラックシステム特有の問題が発生する。ラックシステムでは、ラックに装置を搭載する場合に、取り付け金具を、ラックの前側支柱、あるいは、前側支柱と後側支柱に渡って取り付け、その金具に製品を搭載させる方法が一般的となっており、ラックマウント型装置に搭載された電子タグとラックに取り付けられたリーダライタの間に取り付け金具が入り込むことになる。とくに、１Ｕのラックマウント型装置は、装置側面がスライドレールに占有されることがあり、スライドレールが取り付けられるラックの前面側支柱と背面側支柱の間の領域において、ラックマウント型装置に電子タグを取り付けることは困難である。
【特許文献１】特開２００５−３２８４６号公報
【発明の開示】
【発明が解決しようとする課題】
【００１３】
上記問題点を解決するため、本発明では、ラックマウント型装置に搭載された電子タグとラックの各スロットに搭載されたリーダライタの距離を近くすることで、小型で受発信範囲が狭い安価な電子タグとリーダライタを使用することができ、どんなラックマウント型装置にも対応できるラックマウント型装置の搭載位置確認システムを提供する。
【課題を解決するための手段】
【００１４】
第一の発明は、複数のラックマウント型装置を搭載する前後左右の４隅に支柱が備わるラックに搭載するラックであって、前記ラックにおいて、背面側の少なくともいずれか一方の支柱の後部に、高さ方向の実装単位である１Ｕ毎に、前記ラックマウント型装置の電子タグを読み取るリーダライタを取り付けたリーダライタ取付部と、前記ラックマウント型装置において、ラック搭載時に前記リーダライタと対応する位置に前記電子タグを取り付けた電子タグ取付部とを有することを特徴とするラックに関する。
【００１５】
すなわち、第一の発明によれば、ラックマウントシステムは、ラックマウント型装置とラックとで構成され、不特定の奥行きの装置が搭載されるラックは、支柱が前後左右に4 本設置されたラックであって、ラック背面側の支柱の後ろ側に、１Ｕ毎にリーダライタを取り付けた構造とする一方、当該ラックに収納するサーバ、ディスクアレイ装置などのラックマウント型装置は、ラックに搭載完了した時に、後面側のラック支柱の後ろ側においてリーダライタの対応する位置に電子タグを設置する構造とすることによって、電子タグとリーダライタを近接させることができ、電子タグに格納された装置情報をラックに備わるリーダライタによって確実に効率よく読み取ることが可能となる。
【００１６】
第二の発明は、前記ラックマウント型装置は、ラック搭載時の奥行きが背面側支柱と前面側支柱の間に位置する場合に、延長して前記リーダライタに対応した位置となるよう前記電子タグを取り付けた電子タグ取付機構が付加されることを特徴とする上記第一の発明に記載のラックに関する。
【００１７】
すなわち、第二の発明によれば、ラックマウント型装置への電子タグの取付は、ラックの背面側支柱の左右いずれかに備わるリーダライタと近接する位置まで延長して、該装置の背面に電子タグ取付機構を設置する構造とすることによって、ラックマウント型装置の奥行きが短くても、リーダライタとの距離を至近に設定されるため、読取の信頼度を確実なものとすることができる。
【００１８】
第三の発明は、前記ラックマウント型装置が前記ラックの前側の支柱のみに固定されている場合、前記ラックの背面側の少なくともいずれか一方の支柱において、前記リーダライタと対向する近接位置に前記電子タグを有する電子タグ取付機構を設置することを特徴とする上記第一の発明に記載のラックに関する。
【００１９】
すなわち、第三の発明によれば、ラックマウント型装置がラックの前側の支柱のみに固定されているなど装置の奥行きが極端に短い場合に、ラックの背面側の同一の支柱に、リーダライタおよび電子タグが近接して設置される構造とすることによって、ラックマウント型装置の奥行きが短くても電子タグに格納された装置情報を確実に読み取ることができる。
【００２０】
第四の発明は、前記電子タグ取付機構と対応する前記ラックマウント型装置とが接続機構により、物理的に一体となっていることを特徴とする上記第三の発明に記載のラックに関する。
【００２１】
すなわち、第四の発明によれば、電子タグが、ラックマウント型装置ではなく、ラック側に離れて接続されても、ケーブルワイヤなどの物理的な接続機構を用いることによって、電子タグ取付機構と対応するラックマウント型装置とが一体化された構成をとることが可能となる。
【００２２】
第五の発明は、前記電子タグ取付機構と対応する前記ラックマウント型装置とがフレキシブルプリント板を含む配線ケーブルによって接続されていることを特徴とする上記第二乃至第四のいずれかの発明に記載のラックに関する。
【００２３】
すなわち、第五の発明によれば、ラックマウント型装置と電子タグ取付機構とは、フレキシブルプリント板などの配線ケーブルによって電的な接合が確保され、ラックマウント型装置の奥行きが延長して電子タグの取付が補われるとともに、保守の容易性が確保されることとなる。
【発明の効果】
【００２４】
以上、本発明によれば以下の効果が生じる。
（１）ラックマウント型装置とラックとで構成されるラックマウントシステムにおいて、ラックは、不特定の奥行きの装置が搭載される、支柱が前後左右に４本設置されたラックにであって、ラック背面側の支柱の後ろ側に、１Ｕ毎にリーダライタを取り付けた構造とする一方、当該ラックに収納するサーバ、ディスクアレイ装置などのラックマウント型装置は、ラックに搭載完了した時に、後面側のラック支柱の後ろ側においてリーダライタの対応する位置に電子タグを設置する構造とすることによって、電子タグとリーダライタを近接させることができ、電子タグに格納された装置情報をラックに備わるリーダライタによって確実に効率よく読み取ることが可能となる。
（２）ラックマウント型装置への電子タグの取付は、ラックの背面側支柱の左右いずれかに備わるリーダライタと近接する位置まで延長して、該装置の背面に電子タグ取付機構を設置する構造とすることによって、ラックマウント型装置の奥行きが短くても、リーダライタとの距離を至近に設定されるため、読取の信頼度を確実なものとすることができる。（３）ラックマウント型装置がラックの前側の支柱のみに固定されているなど装置の奥行きが極端に短い場合に、ラックの背面側の同一の支柱に、リーダライタおよび電子タグが近接して設置される構造とすることによって、ラックマウント型装置の奥行きが短くても電子タグに格納された装置情報を確実に読み取ることができる。また、電子タグ取付が、ラックマウント型装置とは別の離れたラック側に設置されても、ケーブルワイヤなどの物理的な接続機構の付加によって一体化を図ることができる。
（４）ラックマウント型装置と電子タグ取付機構とは、フレキシブルプリント板などの可撓性基板で接合されているため、ラックマウント型装置の奥行きが補われるだけでなく、保守の容易性が確保されることとなる。
【００２５】
以上、本発明では、奥行きや高さが異なる様々な製品を搭載するラックマウントシステムにおいて、多くの製品に対応可能な電子タグ読取書込システムを提供するとともに、リーダライタと電子タグの距離を近くすることで、リーダライタの小型化、低コスト化を実現でき、読取精度の向上が図れる。
【発明を実施するための最良の形態】
【００２６】
以下、図面にもとづいて本発明の実施形態を説明する。
【００２７】
図１は、本発明の実施の形態になるラックマウントシステムの概観図を示す。ラックマウントシステムは、ラック１と複数のラックマウント型装置２とから構成され、複数のマウント型装置は、信号ケーブルによって接続されている。
【００２８】
ラック１は４本の支柱を備え、ラックマウント型装置２をスライドして引き出し可能に保持するスライドレール４ａ、４ｂが、その支柱に取り付けられている。
【００２９】
ラックマウント型装置２は、サーバ、ディスクアレイ装置、電源等の電子機器が一定サイズの枠体に納められ、ラック１の複数のスロットに搭載される。
【００３０】
１９インチラックの規格には、ＥＩＡ（Electronic Industries Alliance：米国電子工業会）やＪＩＳ（Japan Industrial Standard ）の規格がある。情報処理の分野では、ＥＩＡの規格が一般的に適用されている。ラックマウント型装置を固定するために設けられた取付穴のピッチが決められており、マウントする機器の高さは、１Ｕ（１ユニット）という単位が基本になる。例えば、２段分を使う機器を２Ｕ、４段分を使う機器を４Ｕという。ＥＩＡ規格の１Ｕは１．７５インチ（４４．４５ｍｍ）となっている。
【００３１】
すなわち、ラックマウント型装置２が搭載されるラック１は、搭載ピッチが決められており、一般的な１９インチラックの場合、最小搭載ピッチは１Ｕ＝４４．４５ｍｍとなる。ラックマウント型装置１台は、１Ｕの整数倍の範囲に取り付けられることとなる。
【００３２】
図２は、本発明の実施の形態になるラックマウントシステムの構成図（その１) を示す。図２Ａは、ラックマウント型装置２をラック１に収納された状態を上面図ａと側面図ｂで示しており、図２Ｂは、ラックマウント型装置２をラック１から引き出した状態を上面図ａと側面図ｂにおいて示したものである。
【００３３】
図２Ａ、図２Ｂにおけるスライドレール４ａ、４ｂは、ラック１の支柱３ａ、３ｂ、３ｃ、３ｄに固定され、一方、図２Ｂの引き出し状態に見られるスライドレール４’ａ、４’ｂは、ラックマウント型装置２の側面に取り付けられ、ラック１に固定されたスライドレール４ａ、４ｂにスライドして収納される。ラックマウント型装置２は、スライドして引き出し可能な状態に、ラック１に取り付けたまま保持される。
【００３４】
本実施例は、ラックマウント型装置２の奥行きが、ラック１の背面支柱３ａ、３ｂの位置より後方にある場合を示している。リーダライタ６は、背面側支柱の内、例えば、３ｂに設置され、電子タグ５は、リーダライタ６の位置に対応して、ラックマウント型装置２の後部側面に取り付けた例を示している。ここで、電子タグ５は、リーダライタ６から電波に反応し、格納された装置に関するデータを送信するアンテナが内蔵された無線タグ（または非接触ＩＣタグ）が使用される。
【００３５】
図３は、本発明の実施の形態になるラックマウントシステムの構成図（その２）を示す。本実施例は、ラックマウント型装置２の奥行きが、ラック１の背面側支柱３ａ、３ｂの位置より内側にある場合の、リーダライタ６および電子タグ５の取付例を示している。
【００３６】
例では、リーダライタ６の取り付け位置（支柱３ｂ）に対応させるため、延長の位置合わせ調整治具として、ラックマウント型装置の背面部に電子タグ取付機構７が設置され、その電子タグ取付機構７に電子タグ５が取り付けられる。
【００３７】
図４は、本発明の実施の形態になるラックマウントシステムの構成図（その３）を示す。本実施例は、ラックマウント型装置２の奥行きが短く、該装置がラック１の前面側支柱３ｃ、３ｄにのみに固定されている場合におけるリーダライタ６および電子タグ５の取付例を示している。
【００３８】
例では、電子タグ取付機構７は、同じ背面側支柱３ｂにリーダライタ６に近接して設置し、電子タグ５を取り付けた例を示している。この場合、例えば、フレキシブルプリント板などの物理的（電気的）接続機構を使って、ラックマウント型装置２は電子タグ５との信号の送受信を行う。
【００３９】
上記してきたように、本発明の電子タグ及びリーダライタの取り付け構造および方法によれば、奥行きの異なる様々な形態のラックマウント型装置に対応可能となり、ラックマウントシステムにおいて効率のよい電子タグ読取システムが実現される。
【図面の簡単な説明】
【００４０】
【図１】本発明の実施の形態になるラックマウントシステムの概観図である。
【図２】本発明の実施の形態になるラックマウントシステムの構成図（その１) である。
【図３】本発明の実施の形態になるラックマウントシステムの構成図（その２) である。
【図４】本発明の実施の形態になるラックマウントシステムの構成図（その３) である。
【符号の説明】
【００４１】
１  ラック
２  ラックマウント型装置
３ａ、３ｂ  支柱（背面側）
３ｃ、３ｄ  支柱（前面側）
４ａ、４ｂ  スライドレール（ラック側）
４’ａ、４’ｂ  スライドレール（装置側）
５  電子タグ
６  リーダライタ
７  電子タグ取付機構
８  物理的接続機構
【図１】
0004572853.tif 000002
【図２】
0004572853.tif 000003
【図３】
0004572853.tif 000004
【図４】
0004572853.tif 000005